(57)【要約】【課題】画像処理装置と情報処理装置との通信を自動的に切断すること。【解決手段】通信によって外部から提供された画像を表示すると共に、当該通信が切断されると当該通信によって提供された画像の表示を停止する画像処理装置に画像を提供して表示させる情報処理装置が実行するプログラムであって、前記画像処理装置との通信が確立された後にユーザの指定した時間が経過したときに、前記通信の継続の要否を確認する画面を前記情報処理装置のディスプレイに表示し、前記画面の表示後に、前記通信を継続する旨のユーザ指示を受け取らない場合に、前記通信を切断する段階を前記情報処理装置のプロセッサに実行させる。【選択図】図１
2018046578.tif 000002
【特許請求の範囲】
【請求項１】
通信によって外部から提供された画像を表示すると共に、当該通信が切断されると当該通信によって提供された画像の表示を停止する画像処理装置に画像を提供して表示させる情報処理装置が実行するプログラムであって、
前記画像処理装置との通信が確立された後にユーザの指定した時間が経過したときに、前記通信の継続の要否を確認する画面を前記情報処理装置のディスプレイに表示し、
前記画面の表示後に、前記通信を継続する旨のユーザ指示を受け取らない場合に、前記通信を切断する段階を前記情報処理装置のプロセッサに実行させるコンピュータ実行可能なプログラム。
【請求項２】
前記通信を切断するステップは、
前記通信を継続する旨の前記ユーザ指示を受け取らず、かつ、前記画面が表示されたときから所定時間が経過したときに、前記通信を切断するステップを含む、請求項１に記載のプログラム。
【請求項３】
前記情報処理装置の前記ディスプレイが閉じられた場合に、前記通信を切断する段階をさらに実行させる請求項１または２に記載のプログラム。
【請求項４】
前記情報処理装置に対するユーザの操作が有ると、前記ユーザの指定した時間が経過したか否かを判断する計測時間をゼロにリセットする段階をさらに実行させる請求項１または２に記載のプログラム。
【請求項５】
通信によって外部から提供された画像を表示すると共に、当該通信が切断されると当該通信によって提供された画像の表示を停止する画像処理装置に画像を提供して表示させる情報処理装置であって、
前記画像処理装置との通信が確立された後にユーザの指定した時間が経過したときに、前記通信の継続の要否を確認する画面を前記情報処理装置のディスプレイに表示させる表示制御ユニットと、
前記画面の表示後に、前記通信を継続する旨のユーザ指示を受け取らない場合に、前記通信を切断する通信制御ユニットと、を含む情報処理装置。
【請求項６】
前記通信制御ユニットは、
前記通信を継続する旨の前記ユーザ指示を受け取らず、かつ、前記画面が表示されたときから所定時間が経過したときに、前記通信を切断する、請求項５に記載の情報処理装置。
【請求項７】
前記通信制御ユニットは、
前記情報処理装置の前記ディスプレイが閉じられた場合に、前記通信を切断する、請求項５または６に記載の情報処理装置。
【請求項８】
前記通信制御ユニットは、
前記情報処理装置に対するユーザの操作が有ると、前記ユーザの指定した時間が経過したか否かを判断する計測時間をゼロにリセットする、請求項５または６に記載の情報処理装置。
【請求項９】
通信によって外部から提供された画像を表示すると共に、当該通信が切断されると当該通信によって提供された画像の表示を停止する画像処理装置と、前記画像処理装置に画像を提供して表示させる情報処理装置とを含む画像処理システムであって、
前記情報処理装置は、
前記画像処理装置との通信が確立された後にユーザの指定した時間が経過したときに、前記通信の継続の要否を確認する画面を前記情報処理装置のディスプレイに表示させる表示制御ユニットと、
前記画面の表示後に、前記通信を継続する旨のユーザ指示を受け取らない場合に、前記通信を切断する通信制御ユニットと、を含む画像処理システム。
【請求項１０】
前記通信制御ユニットは、
前記通信を継続する旨の前記ユーザ指示を受け取らず、かつ、前記画面が表示されたときから所定時間が経過したときに、前記通信を切断する、請求項９に記載の画像処理システム。
【発明の詳細な説明】
【技術分野】
【０００１】
本願開示は、情報処理装置が提供する画像を画像処理装置に表示する画像処理システムに関し、より詳細には、情報処理装置と画像処理装置との通信を自動的に切断するプログラム、情報処理装置および画像処理システムに関する。
【背景技術】
【０００２】
従来、企業や教育機関、行政機関等における会議等において、ディスプレイに背景画像を表示させ、その上にユーザが描画した文字や数字、図形等の描画画像を表示可能な電子黒板が利用されている。
【０００３】
また、このような電子黒板に背景画像としてコンピュータの表示画像を提供し、表示させる場合もある。コンピュータから他の装置に表示画像を提供して表示する従来技術の一例として、特許文献１がある。特許文献１が開示する画像表示システムでは、コンピュータの表示装置に表示されている画像を、無線や有線で構成されたネットワークを介してプロジェクタに提供し、プロジェクタが当該画像を投影する。
【発明の概要】
【発明が解決しようとする課題】
【０００４】
特許文献１が開示する技術を電子黒板に応用し、ユーザが使用するモバイルＰＣ等から電子黒板に無線通信で表示画像を提供するように構成する場合がある。その場合、ユーザが電子黒板の利用を終え、電子黒板とモバイルＰＣとの通信を切断し忘れると、モバイルＰＣの表示画像が電子黒板に表示され続けてしまい、機密情報などが漏洩する虞があった。
【０００５】
従って、情報処理装置が提供する画像を表示可能な画像処理装置と情報処理装置との通信を自動的に切断することができるプログラム、情報処理装置および画像処理システムを提供することが望まれる。
【課題を解決するための手段】
【０００６】
ある実施例によれば、通信によって外部から提供された画像を表示すると共に、当該通信が切断されると当該通信によって提供された画像の表示を停止する画像処理装置に画像を提供して表示させる情報処理装置が実行するプログラムであって、前記画像処理装置との通信が確立された後にユーザの指定した時間が経過したときに、前記通信の継続の要否を確認する画面を前記情報処理装置のディスプレイに表示し、前記画面の表示後に、前記通信を継続する旨のユーザ指示を受け取らない場合に、前記通信を切断する段階を前記情報処理装置のプロセッサに実行させる。
【発明の効果】
【０００７】
少なくとも1つの実施例によれば、上記段階を情報処理装置に実行させることにより、画像処理装置と情報処理装置との通信を自動的に切断することができる。
【図面の簡単な説明】
【０００８】
【図１】画像処理システムの実施形態の一例を示す図。
【図２】情報処理装置のハードウェア構成の一例を示す図。
【図３】画像処理装置のハードウェア構成の一例を示す図。
【図４】情報処理装置および画像処理装置１１０の機能構成の一例を示す図。
【図５】自動切断設定画面の実施形態の一例を示す図。
【図６】情報処理装置が実行する処理の実施形態の一例を示すフローチャート。
【図７】通信切断確認画面の実施形態の一例を示す図。
【発明を実施するための形態】
【０００９】
以下、本発明について実施形態をもって説明するが、本発明は後述する実施形態に限定されるものではない。
【００１０】
図１は、画像処理システムの実施形態の一例を示す図である。画像処理システム１００は、画像処理装置１１０と、情報処理装置１２０ａ，１２０ｂ，１２０ｃと、アクセスポイント１３０とを含む。画像処理装置１１０およびアクセスポイント１３０は、ネットワーク１４０に接続されている。ネットワーク１４０は、無線ＬＡＮ等のネットワークを含んで構成されてよい。
【００１１】
画像処理装置１１０は、情報処理装置１２０ａ，１２０ｂ，１２０ｃが提供する画像を表示すると共に、画像処理装置１１０の表示画面上での描画動作によりユーザが描く描画画像を当該表示画面に表示可能な装置である。画像処理装置１１０は、ネットワーク１４０およびケーブル１５０を介して、情報処理装置１２０ａ，１２０ｂ，１２０ｃと通信する。画像処理装置１１０は、リモートデスクトップ機能を有するＶＮＣ（Virtual Network Computing）をインストール可能であり、通信が確立された情報処理装置１２０ａ，１２０ｂ，１２０ｃを遠隔操作することができる。
【００１２】
情報処理装置１２０ａ，１２０ｂ，１２０ｃは、画像処理装置１１０に画像を提供する。情報処理装置１２０ａ及び１２０ｂは、無線通信機能を備えており、種々の無線通信プロトコルに準拠した無線通信によってアクセスポイント１３０に画像を送信し、ネットワーク１４０を介して画像処理装置１１０に当該画像を提供する。
【００１３】
また、情報処理装置１２０ｃは、画像信号を出力するインタフェースを備えており、当該インタフェースに接続されたＶＧＡケーブル等のケーブル１５０を介して画像処理装置１１０に画像を提供することができる。
【００１４】
図１に示す実施形態において、情報処理装置はノート型ＰＣであるが、タブレット型ＰＣ、スマートフォン等の種々の情報処理装置であってもよい。
【００１５】
図２は、情報処理装置１２０ａのハードウェア構成の一例を示す図である。以下、図２を参照して、情報処理装置１２０ａのハードウェア構成について説明する。なお、情報処理装置１２０ｂ，１２０ｃのハードウェア構成については、情報処理装置１２０ａと同様のため説明を省略する。
【００１６】
情報処理装置１２０ａは、ＣＰＵ２００と、ＲＯＭ２０１と、ＲＡＭ２０２と、ＨＤＤ２０３と、ネットワークインタフェース（Ｉ／Ｆ）２０４と、ディスプレイ２０５とを含む。
【００１７】
ＣＰＵ２００は、種々のプログラムを実行するプロセッサである。ＲＯＭ２０１は、種々のデータが記憶される不揮発性の記憶装置である。ＲＡＭ２０２は、情報処理装置１２０ａが実行する種々のプログラムの実行空間を提供する揮発性の記憶装置である。ＨＤＤ２０３は、プログラムを含む種々のデータを持続的に保存可能な記憶装置である。ネットワークＩ／Ｆ２０４は、ケーブル１５０を介したデータ通信や、無線データ通信を可能にするインタフェースである。ディスプレイ２０５は、種々の画像を表示する表示装置である。
【００１８】
情報処理装置１２０ａのＣＰＵ２００は、ＯＳの管理下で、ＨＤＤ２０３からプログラムを読み出し、ＲＡＭ２０２に展開して実行することにより、後述する機能を情報処理装置１２０ａ上に実現する。
【００１９】
図３は、画像処理装置１１０のハードウェア構成の一例を示す図である。以下、図３を参照して、画像処理装置１１０のハードウェア構成について説明する。
【００２０】
画像処理装置１１０は、ＣＰＵ３００と、ＲＡＭ３０１と、ＲＯＭ３０２と、ＳＤＤ３０３と、ネットワークＩ／Ｆ３０４と、ＧＰＵ（Graphics Processing Unit）３０５と、ディスプレイコントローラ３０６と、ディスプレイ３０７とを含む。
【００２１】
ＣＰＵ３００は、種々のプログラムを実行するプロセッサである。ＲＡＭ３０１は、画像処理装置１１０が実行する種々のプログラムの実行空間を提供する揮発性の記憶装置である。ＲＯＭ３０２は、種々のデータが記憶される不揮発性の記憶装置である。ＳＤＤ３０３は、プログラム等を含む種々のデータを持続的に保存可能な記憶装置である。画像処理装置１１０のＣＰＵ３００は、ＯＳの管理下でＳＤＤ３０３からプログラムを読み出し、ＲＡＭ３０１に展開して実行することにより、後述する機能を画像処理装置１１０上に実現する。
【００２２】
ネットワークＩ／Ｆ３０４は、有線によるデータ通信や、無線データ通信を可能にするインタフェースである。ＧＰＵ３０５は、画像処理を行うプロセッサであり、ディスプレイ３０７に表示される画像を処理する。ディスプレイコントローラ３０６は、ＧＰＵ３０５の制御下でディスプレイ３０７を制御する。
【００２３】
図４は、情報処理装置１２０ａおよび画像処理装置１１０の機能構成の一例を示す図である。以下、図４を参照して、情報処理装置１２０ａおよび画像処理装置１１０の機能構成について説明する。
【００２４】
情報処理装置１２０ａは、イベント受信部４００と、通信制御部４０１と、自動切断処理部４０２と、表示制御部４０３と、画像送信部４０４とを含む。
【００２５】
イベント受信部４００は、情報処理装置１２０ａのＯＳ（Ｏｐｅｒａｔｉｎｇ Ｓｙｓｔｅｍ）が発行するイベントを受信する。イベント受信部４００が受信するイベントには、例えば、入力デバイスであるマウスのクリック信号や移動信号を受信した旨のイベント、キーボードのキー押下信号を受信した旨のイベント、情報処理装置１２０ａのディスプレイが閉じられた旨のイベント、モニター電源がＯＦＦになった旨のイベント、ロック画面やスクリーンセーバーが表示された旨のイベントなどがある。イベント受信部４００は、これらのイベントを受信すると、イベント受信の旨を当該イベントの種類と共に自動切断処理部４０２に通知する。
【００２６】
通信制御部４０１は、画像処理装置１１０との通信を制御する。通信制御部４０１は、ユーザの指示に応じて接続要求を画像処理装置１１０に送信し、画像処理装置１１０との通信を確立する。また、通信制御部４０１は、画像処理装置１１０との通信を切断する。
【００２７】
自動切断処理部４０２は、画像処理装置１１０との通信を自動的に切断するよう機能する。自動切断処理部４０２は、図５に示す自動切断設定画面を用いてユーザが自動切断を指定した場合、画像処理装置１１０との通信を自動的に切断する。
【００２８】
図５は、自動切断設定画面の実施形態の一例を示す図である。自動切断設定画面５００は、自動切断機能の利用の有無を指定するチェックボックス５０１と、プルダウンメニュー５０２とが含まれる。プルダウンメニュー５０２は、通信切断確認画面の表示時間間隔を設定するメニューであり、ユーザは、会議の開催時間などを考慮して任意の時間を指定することができる。自動切断処理部４０２は、プルダウンメニュー５０２で指定された値に等しくなるように、図６に示す処理で使用する制限時間Ｔを設定する。
【００２９】
表示制御部４０３は、ディスプレイ２０５を制御する。表示制御部４０３は、自動切断設定画面や通信切断確認画面、デスクトップ画面等の画像をディスプレイ２０５に表示する。
【００３０】
画像送信部４０４は、ディスプレイ２０５に表示されている画像を画像処理装置１１０に送信する。画像送信部４０４は、画像処理装置１１０との通信が確立すると、表示制御部４０３が供給するディスプレイ２０５の表示画像を送信する。
【００３１】
画像処理装置１１０は、通信制御部４１０と、画像受信部４１１と、画像処理部４１２と、表示部４１３とを含む。
【００３２】
通信制御部４１０は、情報処理装置１２０ａ，１２０ｂ，１２０ｃとの通信を制御する。通信制御部４１０は、情報処理装置１２０ａ，１２０ｂ，１２０ｃからの接続要求に応じて通信を確立する。
【００３３】
画像受信部４１１は、情報処理装置１２０ａ，１２０ｂ，１２０ｃが送信する画像を受信する。画像受信部４１１は、情報処理装置１２０ａ，１２０ｂ，１２０ｃから画像を受信すると、受信した画像を画像処理部４１２に提供する。
【００３４】
画像処理部４１２は、ディスプレイ３０７に表示される画像を処理する。画像処理部４１２は、情報処理装置１２０ａ，１２０ｂ，１２０ｃが送信する画像を受け取ると、ディスプレイコントローラ３０６で構成される表示部４１３に当該画像を提供し、ディスプレイ３０７に画像を表示させる。
【００３５】
また、画像処理部４１２は、ユーザがディスプレイ３０７に対して行った描画動作に応じて描画画像を生成する。画像処理部４１２は、当該描画画像と、情報処理装置１２０ａ，１２０ｂ，１２０ｃが提供する画像とを合成することにより得られた合成画像をディスプレイ３０７に表示させる。
【００３６】
図６は、情報処理装置１２０ａが実行する処理の実施形態の一例を示すフローチャートである。以下、図６を参照して、画像処理装置１１０との通信が確立した場合に情報処理装置１２０ａが実行する処理について説明する。
【００３７】
図６の処理は、ステップＳ６００から開始し、画像処理装置１１０との通信が確立すると、ステップＳ６０１で自動切断処理部４０２がタイマーを起動する。ステップＳ６０２では、自動切断処理部４０２は、タイマーが制限時間Ｔを超えているか否か判断する。タイマーが制限時間Ｔを超えている場合は（ｙｅｓ）、ステップＳ６０３に処理が進む。
【００３８】
ステップＳ６０３では、自動切断処理部４０２は、表示制御部４０３に対し、図７に示すような通信切断確認画面７００をディスプレイ２０５に表示させる。ステップＳ６０４では、自動切断処理部４０２は、通信切断確認画面７００に表示されている通信接続の継続を指示するボタン７０１が選択されたか否か判断する。ボタン７０１が選択された場合は（ｙｅｓ）、ステップＳ６０１に処理が戻り、新たにタイマーを起動する。一方、ボタン７０１が選択されていない場合は（ｎｏ）、ステップＳ６０５に処理が進む。
【００３９】
ステップＳ６０５では、自動切断処理部４０２は、通信切断確認画面７００が表示されたときから所定時間が経過したか否か判断する。本実施形態では、所定時間は固定値であってよく、例えば、１分等の時間を採用してよい。通信切断確認画面７００が表示されたときから所定時間が経過していない場合は（ｎｏ）、ステップＳ６０４に処理が戻る。一方、通信切断確認画面７００が表示されたときから所定時間が経過した場合は（ｙｅｓ）、ステップＳ６０６に処理が進む。
【００４０】
一方、ステップＳ６０２でタイマーが制限時間Ｔを超えていない場合は（ｎｏ）、ステップＳ６０７に処理が進む。ステップＳ６０７では、自動切断処理部４０２は、情報処理装置１２０ａの入力デバイスから入力が有ったか否か判断する。本実施形態では、自動切断処理部４０２は、例えば、マウスのクリック信号や移動信号を受信した旨のイベント、キーボードのキーが押下され旨のイベント等を受信した旨の通知をイベント受信部４００から受信した場合、入力デバイスから入力が有ったと判断する。
【００４１】
入力デバイスから入力が有ったと判断した場合は（ｙｅｓ）、ステップＳ６０１に処理が戻る。一方、入力デバイスから入力が無かったと判断した場合は（ｎｏ）、ステップＳ６０８に処理が進む。
【００４２】
ステップＳ６０８では、自動切断処理部４０２は、ディスプレイ２０５が閉じられたか否か判断する。本実施形態では、情報処理装置１２０ａとしてディスプレイ開閉式のＰＣを採用するため、ディスプレイが閉じられたか否か判断する。
【００４３】
他の実施形態では、モニター電源がＯＦＦになったか否か、または、ロック画面やスクリーンセーバーが表示されたか否か、すなわち、情報処理装置１２０ａに対するユーザ操作を即時受け付け可能な状態か否かを判断することができる。モニター電源がＯＦＦになった場合や、ロック画面やスクリーンセーバーが表示された場合は、自動切断処理部４０２は、情報処理装置１２０ａに対するユーザ操作を即時受け付け可能でないものと判断する。
【００４４】
ディスプレイ２０５が閉じられた場合は（ｙｅｓ）、ステップＳ６０６に処理が進む。一方、ディスプレイ２０５が閉じられていない場合は（ｎｏ）、ステップＳ６０２に処理が戻る。
【００４５】
ステップＳ６０６では、自動切断処理部４０２は、通信制御部４０１に対し、画像処理装置１１０との通信を切断させる。ステップＳ６０９で処理が終了する。
【００４６】
図６に示す実施形態では、タイマーが制限時間Ｔを超えた場合に通信切断確認画面を表示している。他の実施形態として、自動切断処理部４０２が、情報処理装置１２０ａ，１２０ｂ，１２０ｃと画像処理装置１１０との物理的な距離を算出し、当該距離が所定の距離以上になったときに、通信切断確認画面を表示してもよい。タイマーが制限時間Ｔを超えた場合に通信切断確認画面を表示する機能と、距離が所定の距離以上になったときに通信切断確認画面を表示する機能との両方の機能を、並行して働かせてもよい。
【００４７】
これまで本発明の一実施形態につき説明してきたが、本発明は、上述した実施形態に限定されるものではなく、上述した実施形態の構成要素を変更若しくは削除し、または上述した実施形態の構成要素に他の構成要素を追加するなど、当業者が想到することができる範囲内で変更することができる。
【符号の説明】
【００４８】
１００…画像処理システム、１１０…画像処理装置、１２０ａ，１２０ｂ，１２０ｃ…情報処理装置、１３０…アクセスポイント、１４０…ネットワーク
【先行技術文献】
【特許文献】
【００４９】
【特許文献１】特開２００５−３５２７９６号公報
【図１】
2018046578.tif 000003
【図２】
2018046578.tif 000004
【図３】
2018046578.tif 000005
【図４】
2018046578.tif 000006
【図５】
2018046578.tif 000007
【図６】
2018046578.tif 000008
【図７】
2018046578.tif 000009
【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
画像処理装置に、ネットワーク又はケーブルを介して画像を通信可能な情報処理装置が実行するプログラムであって、
通信の継続の要否を確認する画面を前記情報処理装置のディスプレイに表示し、
前記画面の表示後に、前記通信を継続する旨のユーザ指示を所定の時間の間に受け取らない場合に、前記通信を切断するステップを前記情報処理装置に実行させるコンピュータ実行可能なプログラム。
【請求項２】
前記通信を切断するステップは、
前記通信を継続する旨の前記ユーザ指示を受け取らず、かつ、前記画面が表示されたときから所定時間が経過したときに、前記通信を切断するステップを含む、請求項１に記載のプログラム。
【請求項３】
前記情報処理装置の前記ディスプレイが閉じられた場合に、前記通信を切断するステップをさらに実行させる請求項１または２に記載のプログラム。
【請求項４】
前記情報処理装置に対するユーザの操作が有ると、前記ユーザの指定した時間が経過したか否かを判断する計測時間をゼロにリセットするステップをさらに実行させる請求項１または２に記載のプログラム。
【請求項５】
更に、前記情報処理装置に、
前記通信を継続する旨のユーザ指示を所定の時間の間に受け取らない場合に、前記通信を切断するか否かの設定を受け付けるチェックボックスを表示するステップを実行させる請求項１〜４のいずれか１項に記載のプログラム。
【請求項６】
更に、前記情報処理装置に、
通信切断確認画面の表示時間間隔を表示するプロダウンメニューを表示するステップと、
ユーザから前記表示時間間隔の指定を受け付けるステップと、を実行させる請求項１〜５のいずれか１項に記載のプログラム。
【請求項７】
前記プロダウンメニューを表示するステップでは、
前記情報処理装置と前記画像処理装置との物理的な距離が所定の距離以上になった場合に、前記通信切断確認画面を表示する請求項６に記載のプログラム。
【請求項８】
前記通信を継続する旨のユーザ指示を受け取らない場合に前記通信を切断すると判断するための所定の時間はユーザが設定する請求項１〜７のいずれか１項に記載のプログラム。
【請求項９】
前記画像処理装置との前記通信が確立された後、所定の時間が経過した場合に、
前記通信の継続の要否を確認する画面を前記情報処理装置のディスプレイに表示する請求項１〜８のいずれか１項に記載のプログラム。
【請求項１０】
画像処理装置に、ネットワーク又はケーブルを介して、画像を通信可能な情報処理装置であって、
通信の継続の要否を確認する画面を前記情報処理装置のディスプレイに表示し、
前記画面の表示後に、前記通信を継続する旨のユーザ指示を所定の時間の間に受け取らない場合に、前記通信を切断する情報処理装置。
【請求項１１】
画像処理装置と、前記画像処理装置に、ネットワーク又はケーブルを介して、画像を通信可能な情報処理装置と、を有する画像処理システムであって、
前記情報処理装置は、
通信の継続の要否を確認する画面を前記情報処理装置のディスプレイに表示し、
前記画面の表示後に、前記通信を継続する旨のユーザ指示を所定の時間の間に受け取らない場合に、前記通信を切断する画像処理システム。
【手続補正２】
【補正対象書類名】明細書
【補正対象項目名】０００４
【補正方法】変更
【補正の内容】
【０００４】
特許文献１が開示する技術を電子黒板に応用し、ユーザが使用するモバイルＰＣ等から電子黒板に通信で表示画像を提供するように構成する場合がある。しかしながら、この場合、モバイルＰＣ等と電子黒板との通信をユーザが切断しなければならないという問題があった。
従って、情報処理装置が提供する画像を表示可能な画像処理装置と情報処理装置との通信を自動的に切断することができるプログラム、情報処理装置および画像処理システムを提供することが望まれる。
【手続補正３】
【補正対象書類名】明細書
【補正対象項目名】０００６
【補正方法】変更
【補正の内容】
【０００６】
ある実施例によれば、画像処理装置に、ネットワーク又はケーブルを介して画像を通信可能な情報処理装置が実行するプログラムであって、通信の継続の要否を確認する画面を前記情報処理装置のディスプレイに表示し、前記画面の表示後に、前記通信を継続する旨のユーザ指示を所定の時間の間に受け取らない場合に、前記通信を切断するステップを前記情報処理装置に実行させる。
【手続補正４】
【補正対象書類名】明細書
【補正対象項目名】０００９
【補正方法】変更
【補正の内容】
【０００９】
発明について実施形態をもって説明するが、本発明は後述する実施形態に限定されるものではない。
なお、特許文献１が開示する技術を電子黒板に応用し、ユーザが使用するモバイルＰＣ等から電子黒板に通信で表示画像を提供するように構成する場合がある。その場合、ユーザが電子黒板の利用を終え、電子黒板とモバイルＰＣとの通信を切断し忘れると、モバイルＰＣの表示画像が電子黒板に表示され続けてしまい、機密情報などが漏洩する虞があった。